Podtech/llm-jp-corpus-v4-ja_patent huggingface dataset:
【手続補正書】
【提出日】令和3年6月3日(2021.6.3)
【手続補正１】
【補正対象書類名】特許請求の範囲
【補正対象項目名】全文
【補正方法】変更
【補正の内容】
【特許請求の範囲】
【請求項１】
プリフォームをプレスしてレンズを成形する金型と、
プレス前の金型を収容する金型収容室と、
前記金型収容室に収容された前記プレス前の金型の少なくとも一部を覆うフィルタ装置と、
を有し、
前記フィルタ装置は、
前記金型収容室の天井壁から前記プレス前の金型に向かって下方に延びるフィルタ支持部と、
前記フィルタ支持部に支持されて前記プレス前の金型の上方に位置する上面部と、前記上面部の外周縁から下方に延びて前記プレス前の金型の側方に位置する側面部と、を有するフィルタ部と、
を有することを特徴とするレンズ成形装置。
【請求項２】
前記金型収容室を減圧してからガスを供給するガス供給手段をさらに有する、
ことを特徴とする請求項１に記載のレンズ成形装置。
【請求項３】
前記金型を載置するとともに、前記金型収容室を構成する上昇位置と前記金型収容室を構成しない下降位置の間で移動する台座をさらに有し、
前記台座の上昇位置において、前記フィルタ部の前記側面部の下端部が前記金型の側方で前記台座に当接する、
ことを特徴とする請求項１又は請求項２に記載のレンズ成形装置。
【請求項４】
前記フィルタ部の前記側面部の前記下端部に、前記台座に当接したときに圧縮されるクッション部が設けられている、
ことを特徴とする請求項３に記載のレンズ成形装置。
【請求項５】
前記フィルタ支持部は、
前記台座の下降位置では上下方向に圧縮されず、前記台座の上昇位置では上下方向に圧縮される弾性部と、
前記弾性部を上下方向に案内する案内部と、
を有することを特徴とする請求項３又は請求項４に記載のレンズ成形装置。
【請求項６】
前記弾性部は、コイルバネからなり、
前記案内部は、前記コイルバネに挿通されたガイドロッドからなる、
ことを特徴とする請求項５に記載のレンズ成形装置。
【請求項７】
前記コイルバネと前記ガイドロッドは、周方向に離間して少なくとも３組設けられる、
ことを特徴とする請求項６に記載のレンズ成形装置。
【請求項８】
前記フィルタ部は、焼結金属及び／又は多孔質金属から構成された網目部を有する、
ことを特徴とする請求項１から請求項７のいずれかに記載のレンズ成形装置。
【請求項９】
前記金型収容室は、プレス後の金型に代えて前記プレス前の金型を収容する、又は、前記プレス前の金型を装置内で搬送する過程で前記プレス前の金型を収容する、
ことを特徴とする請求項１から請求項８のいずれかに記載のレンズ成形装置。
【請求項１０】
プリフォームをプレスしてレンズを成形する金型と、
プレス前の金型を収容する金型収容室と、
を有するレンズ成形装置に使用されるフィルタ装置であって、
前記金型収容室に収容された前記プレス前の金型の少なくとも一部を覆い、
前記金型収容室の天井壁から前記プレス前の金型に向かって下方に延びるフィルタ支持部と、
前記フィルタ支持部に支持されて前記プレス前の金型の上方に位置する上面部と、前記上面部の外周縁から下方に延びて前記プレス前の金型の側方に位置する側面部と、を有するフィルタ部と、
を有することを特徴とするフィルタ装置。
【手続補正２】
【補正対象書類名】明細書
【補正対象項目名】０００８
【補正方法】変更
【補正の内容】
【０００８】
本実施形態のレンズ成形装置は、プリフォームをプレスしてレンズを成形する金型と、プレス前の金型を収容する金型収容室と、前記金型収容室に収容された前記プレス前の金型の少なくとも一部を覆うフィルタ装置と、を有し、前記フィルタ装置は、前記金型収容室の天井壁から前記プレス前の金型に向かって下方に延びるフィルタ支持部と、前記フィルタ支持部に支持されて前記プレス前の金型の上方に位置する上面部と、前記上面部の外周縁から下方に延びて前記プレス前の金型の側方に位置する側面部と、を有するフィルタ部と、を有することを特徴としている。
【手続補正３】
【補正対象書類名】明細書
【補正対象項目名】００１０
【補正方法】削除
【補正の内容】
【手続補正４】
【補正対象書類名】明細書
【補正対象項目名】００１８
【補正方法】変更
【補正の内容】
【００１８】
本実施形態のフィルタ装置は、プリフォームをプレスしてレンズを成形する金型と、プレス前の金型を収容する金型収容室と、を有するレンズ成形装置に使用されるフィルタ装置であって、前記金型収容室に収容された前記プレス前の金型の少なくとも一部を覆い、前記金型収容室の天井壁から前記プレス前の金型に向かって下方に延びるフィルタ支持部と、前記フィルタ支持部に支持されて前記プレス前の金型の上方に位置する上面部と、前記上面部の外周縁から下方に延びて前記プレス前の金型の側方に位置する側面部と、を有するフィルタ部と、を有することを特徴としている。
【手続補正書】
【提出日】令和3年1月15日(2021.1.15)
【手続補正１】
【補正対象書類名】特許請求の範囲
【補正対象項目名】全文
【補正方法】変更
【補正の内容】
【特許請求の範囲】
【請求項１】
（ａ）フッ素樹脂を粉砕して前記フッ素樹脂の粉砕片を形成する工程と、
（ｂ）前記（ａ）工程の後、前記粉砕片を加熱し、平均粒径が２０μｍ以下のフッ素樹脂粉体を生成する工程と、を含み、
前記（ａ）工程では、前記粉砕片に残留応力が残る臼式法、ローラミル法またはボールミル法のいずれかの粉砕方法により前記フッ素樹脂を粉砕し、
前記（ｂ）工程では、前記フッ素樹脂の融点以上であって、かつ３４０℃±１０℃の加熱温度で前記粉砕片を加熱する、フッ素樹脂粉体の製造方法。
【請求項２】
請求項１記載のフッ素樹脂粉体の製造方法において、
前記粉砕方法は、せん断力により粉砕する方法である、フッ素樹脂粉体の製造方法。
【手続補正書】
【提出日】令和3年6月10日(2021.6.10)
【手続補正１】
【補正対象書類名】明細書
【補正対象項目名】００１７
【補正方法】変更
【補正の内容】
【００１７】
かかる効果は、発明者の検討によると、溶剤可溶の油溶性染料の中でも金属錯塩染料においてのみ、特異的に発現される。
すなわち、金属錯塩染料以外の他の油溶性染料は、第二溶剤の比率が増加しても、ポリオキシエチレンポリオキシプロピレングリコールとともに析出したり凝集したりすることはなく、被印刷体の表面にしっかり定着されることはない。
【手続補正２】
【補正対象書類名】明細書
【補正対象項目名】００３３
【補正方法】変更
【補正の内容】
【００３３】
ＢＡＳＦジャパン(株)製のコリフォールシリーズのうちＰ１８８〔ＰＯＥ(１６０)ＰＯＰ(３０)〕、Ｐ４０７〔ＰＯＥ(１９６)ＰＯＰ(６７)〕、ルトロールシリーズのうちＦ６８〔ＰＯＥ(１６０)ＰＯＰ(３０)〕、Ｆ１２７〔ＰＯＥ(１９６)ＰＯＰ(６７)〕。
中でも、ポリオキシエチレンポリオキシプロピレングリコールとしては、数平均分子量Ｍｎが４５００以下で、かつポリオキシエチレン（ＰＯＥ）含量が４０％以下である化合物が好ましい。
【手続補正３】
【補正対象書類名】明細書
【補正対象項目名】００４４
【補正方法】変更
【補正の内容】
【００４４】
ただし、炭素数が４以上のアルコールは沸点が高いため、インクジェットインクの吐出性や速乾性が低下して、加熱乾燥工程が必要となるなど、水との差別化が難しくなる。
そのため、第二溶剤としては炭素数が３以下で、かつ引火点Ｆ２が３０℃以下のアルコール、中でも炭素数が２以下で、かつ引火点Ｆ２が２０℃以下であるメタノールおよび／またはエタノール、とくにエタノールを用いるのが好ましい。
【手続補正書】
【提出日】令和3年4月27日(2021.4.27)
【手続補正１】
【補正対象書類名】特許請求の範囲
【補正対象項目名】全文
【補正方法】変更
【補正の内容】
【特許請求の範囲】
【請求項１】
表面と、裏面と、前記表面と前記裏面との間の内層と、を有するＩＩＩ族窒化物の基材部を有し、
前記基材部の前記表面の炭素濃度が前記内層の炭素濃度よりも高い、ＩＩＩ族窒化物基板。
【請求項２】
前記基材部の表面は、その上にＩＩＩ族窒化物結晶を成長させるための面である、請求項１に記載のＩＩＩ族窒化物基板。
【請求項３】
前記基材部の前記表面の酸素濃度が前記内層の酸素濃度よりも低い、請求項１又は２に記載のＩＩＩ族窒化物基板。
【請求項４】
前記基材部の前記表面は、＋ｃ面であり、前記基材部の前記裏面は、−ｃ面である、請求項２に記載のＩＩＩ族窒化物基板。
【請求項５】
前記基材部の表面の炭素濃度は、５×１０１９［ａｔｏｍｓ／ｃｍ３］以上であり、
前記基材部の表面の酸素濃度は、１×１０２０［ａｔｏｍｓ／ｃｍ３］以上である、
請求項１〜４のいずれか一項に記載のＩＩＩ族窒化物基板。
【請求項６】
前記基材部の表面の炭素濃度は、１．５×１０２０〜５×１０２０［ａｔｏｍｓ／ｃｍ３］の範囲内であり、
前記基材部の表面の酸素濃度は、１×１０２０〜１×１０２１［ａｔｏｍｓ／ｃｍ３］の範囲内である、請求項５に記載のＩＩＩ族窒化物基板。
【請求項７】
前記基材部の酸素濃度は、１×１０２０〜１×１０２１［ａｔｏｍｓ／ｃｍ３］の範囲内であり、
前記基材部の炭素濃度は、１×１０１７〜５×１０２０［ａｔｏｍｓ／ｃｍ３］の範囲内である、請求項１〜６のいずれか一項に記載のＩＩＩ族窒化物基板。
【請求項８】
前記基材部中の炭素濃度は、前記表面から前記裏面への厚み方向に沿って徐々に変化する、請求項１〜７のいずれか一項に記載のＩＩＩ族窒化物基板。
【請求項９】
前記基材部中の酸素濃度は、前記表面から前記裏面への厚み方向に沿って徐々に変化する、請求項１〜８のいずれか一項に記載のＩＩＩ族窒化物基板。
【請求項１０】
ＩＩＩ族元素の酸化物と還元性ガスとを反応させ、又は前記ＩＩＩ族元素の金属と酸化性ガスとを反応させて、ＩＩＩ族元素酸化物ガスを生成する工程と、
前記ＩＩＩ族元素酸化物ガスを育成チャンバ内に供給する工程と、
ＣＨ４ガス、Ｃ２Ｈ６ガス、Ｃ３Ｈ８ガス、Ｃ４Ｈ１０ガス、Ｃ２Ｈ４ガス、Ｃ３Ｈ６ガス、Ｃ４Ｈ８ガス、Ｃ２Ｈ２ガス、Ｃ３Ｈ４ガスのうちの少なくとも１つの炭素元素含有ガスを前記育成チャンバ内に供給する工程と、
窒素元素含有ガスを前記育成チャンバ内に供給する工程と、
前記炭素元素含有ガスの雰囲気下で前記ＩＩＩ族元素酸化物ガスと前記窒素含有ガスとを反応させて、ＩＩＩ族窒化物結晶を生成する工程と、
を含み、
前記ＩＩＩ族窒化物結晶の成長初期から成長中期にかけて、前記ＩＩＩ族元素酸化物ガスを成長後期に比べて高濃度に生成させ、前記育成チャンバに高濃度に供給する共に、前記炭素元素含有ガスを前記育成チャンバに高濃度に供給し、
前記ＩＩＩ族窒化物結晶の成長後期には、前記ＩＩＩ族元素酸化物ガスを前記成長初期から成長中期と比べて低濃度に生成させ、前記育成チャンバに低濃度に供給すると共に、前記炭素元素含有ガスを前記育成チャンバに低濃度に供給する、
ＩＩＩ族窒化物結晶の製造方法。
【請求項１１】
前記炭素元素含有ガスと、前記育成チャンバ内に存在して前記ＩＩＩ族元素酸化物ガス以外の酸素を含む物質とを反応させて、酸化物ガスを生成する工程と、
前記酸化物ガスを前記育成チャンバ外に排出する工程と、
をさらに含む、請求項１０に記載のＩＩＩ族窒化物結晶の製造方法。
【手続補正書】
【提出日】令和3年4月12日(2021.4.12)
【手続補正１】
【補正対象書類名】特許請求の範囲
【補正対象項目名】全文
【補正方法】変更
【補正の内容】
【特許請求の範囲】
【請求項１】
下記化学式２で表示される化合物のＮＨ２位置に、ｔｅｒｔ−ブトキシカルボニル保護基を導入して、下記化学式３で表示される化合物を製造する段階と、
下記化学式３で表示される化合物を、強塩基の存在下で加水分解して、下記化学式４で表示される化合物を製造する段階と、
下記化学式４で表示される化合物及び下記化学式５で表示される化合物を、塩基及び触媒の存在下でＮ−アルキル化反応させて、下記化学式６で表示される化合物を製造する段階と、
下記化学式６で表示される化合物を脱保護反応させて、下記化学式７で表示される化合物を製造する段階と、
下記化学式７で表示される化合物を、光学活性のある有機酸と混合して、光学的に純粋な下記化学式７ａで表示される化合物を製造する段階とを含む、シロドシン合成用中間体の製造方法。
【化１２】
2020007291.tif 000001
【化１３】
2020007291.tif 000002
（前記化学式５〜７ａのそれぞれにおいて、Ｒ１はＨ又は保護基であり、
前記化学式５において、ＬＧは脱離基（Ｌｅａｖｉｎｇ  Ｇｒｏｕｐ）を示す。）
【請求項２】
前記化学式３で表示される化合物を製造する段階において、
前記化学式２で表示される化合物を、ジ−ｔｅｒｔ−ブチルジカーボネートと反応させる、請求項１に記載のシロドシン合成用中間体の製造方法。
【請求項３】
前記化学式４で表示される化合物を製造する段階において、
前記強塩基はアルカリ金属水酸化物である、請求項１に記載のシロドシン合成用中間体の製造方法。
【請求項４】
前記化学式３で表示される化合物を製造する段階及び前記化学式４で表示される化合物を製造する段階は、単一の容器での連続工程（Ｉｎ−Ｓｉｔｕ；その場工程）で進行して、前記化学式４で表示される化合物を製造する、請求項１に記載のシロドシン合成用中間体の製造方法。
【請求項５】
前記化学式６で表示される化合物を製造する段階において、
前記塩基はアルカリ金属炭酸塩又は有機塩基である、請求項１に記載のシロドシン合成用中間体の製造方法。
【請求項６】
前記化学式６で表示される化合物を製造する段階において、
前記触媒は相転移触媒である、請求項１に記載のシロドシン合成用中間体の製造方法。
【請求項７】
前記化学式７で表示される化合物を製造する段階は、酸の条件下で脱保護反応することによって行う、請求項１に記載のシロドシン合成用中間体の製造方法。
【請求項８】
前記化学式７ａで表示される化合物を製造する段階において、
前記有機酸は、酒石酸、マンデル酸、１０−カンファースルホン酸及びリンゴ酸からなる群から選択された１種以上であり、
鏡像体過剰率（ｅｎａｎｔｉｏｍｅｒｉｃ  ｅｘｃｅｓｓ：ｅｅ）は９５％以上かつ９９．７％以下である、請求項１に記載のシロドシン合成用中間体の製造方法。
【請求項９】
前記化学式６で表示される化合物を製造する段階、前記化学式７で表示される化合物を製造する段階及び前記化学式７ａで表示される化合物を製造する段階は、単一の容器での連続工程（Ｉｎ−Ｓｉｔｕ；その場工程）で進行して、前記化学式７ａで表示される化合物を製造する、請求項１に記載のシロドシン合成用中間体の製造方法。
【請求項１０】
下記化学式４で表示される、シロドシン合成用中間体。
【化１４】
2020007291.tif 000003
【請求項１１】
鏡像体過剰率（ｅｅ）が９５〜９９．７％である下記化学式７ａで表示される化合物を、下記化学式８で表示される化合物及び無機塩基の存在下でＮ−アルキル化反応させ、光学活性のある有機酸と混合して、下記化学式９で表示される化合物を製造する段階と、
下記化学式９で表示される化合物を、強塩基及び酸化剤の存在下で加水分解して、下記化学式１で表示される化合物を製造する段階とを含む、シロドシンの製造方法。
【化１５】
2020007291.tif 000004
（前記化学式７ａ及び９のそれぞれにおいて、Ｒ１はＨ又は保護基であり、
前記化学式８において、ＬＧは脱離基（Ｌｅａｖｉｎｇ  Ｇｒｏｕｐ）を示す。）
【請求項１２】
前記化学式９で表示される化合物を製造する段階において、
前記無機塩基はアルカリ金属炭酸塩である、請求項１１に記載のシロドシンの製造方法。
【請求項１３】
前記化学式９で表示される化合物を製造する段階において、
前記有機酸は、酒石酸、マンデル酸、１０−カンファースルホン酸及びリンゴ酸からなる群から選択された１種以上であり、
前記製造された化学式９で表示される化合物の鏡像体過剰率（ｅｅ）が９９．７％以上である、請求項１１に記載のシロドシンの製造方法。
【請求項１４】
前記化学式１で表示される化合物を製造する段階において、
前記強塩基はアルカリ金属水酸化物であり、
前記酸化剤は過炭酸ナトリウムである、請求項１１に記載のシロドシンの製造方法。
【手続補正書】
【提出日】令和3年3月8日(2021.3.8)
【手続補正１】
【補正対象書類名】特許請求の範囲
【補正対象項目名】全文
【補正方法】変更
【補正の内容】
【特許請求の範囲】
【請求項１】
アルベンダゾール、およびフェバンテルから選択されるベンゾイミダゾール系化合物を有効成分として含有する、スズキ目魚類に寄生した扁形動物門単生綱多後吸盤類ヘテラキシネ・ヘテロセルカの駆除剤。
【請求項２】
スズキ目魚類がブリ類の魚類である請求項１の駆除剤。
【請求項３】
ブリ類の魚類が、ブリ(Seriola quinqueradiata)、カンパチ(Seriola dumerili)、ヒラマサ(Seriola lalandi)、ヒレナガカンパチ(Seriola rivoliana)、Seriola carpenteri、Seriola fasciata、ミナミカンパチ(Seriola hippos)、Seriola peruana、Seriola zonataである請求項２の駆除剤。
【請求項４】
ベンゾイミダゾール系化合物が１０〜６００ｍｇ／ｋｇ／日の投与量で投与される請求項１ないし３のいずれかに記載の駆除剤。
【請求項５】
投与期間が３日以上である請求項１ないし４のいずれかに記載の駆除剤。
【請求項６】
アルベンダゾール、およびフェバンテルから選択されるベンゾイミダゾール系化合物を有効成分として投与することを特徴とする、スズキ目魚類に寄生した扁形動物門単生綱多後吸盤類ヘテラキシネ・ヘテロセルカの駆除方法。
【請求項７】
スズキ目魚類がブリ類の魚類である請求項６の方法。
【請求項８】
ブリ類の魚類が、ブリ(Seriola quinqueradiata)、カンパチ(Seriola dumerili)、ヒラマサ(Seriola lalandi)、ヒレナガカンパチ(Seriola rivoliana)、Seriola carpenteri、Seriola fasciata、ミナミカンパチ(Seriola hippos)、Seriola peruana、Seriola zonataである請求項７の方法。
【請求項９】
ベンゾイミダゾール系化合物が１０〜６００ｍｇ／ｋｇ／日の投与量で投与される請求項６ないし８のいずれかに記載の方法。
【請求項１０】
投与期間が３日以上である請求項６ないし９のいずれかに記載の方法。
【手続補正書】
【提出日】令和3年5月27日(2021.5.27)
【手続補正１】
【補正対象書類名】特許請求の範囲
【補正対象項目名】全文
【補正方法】変更
【補正の内容】
【特許請求の範囲】
【請求項１】
合成又は天然物から単離、精製された、ベンジルアセテート、リナリルアセテート、３-メチルペンチルアンゲレート、Cis-ジャスモンの有効成分から選択される有効成分として含有する女性のテストステロン分泌を増進させることを特徴とする女性用テストステロン分泌増進用組成物。
【請求項２】
前記テストステロンの分泌の増進が、女性の月経前緊張症、マタニティーブルー、又は更年期障害による不快症状を改善することを特徴とする請求項１記載の女性用テストステロン分泌増進用組成物。
【請求項３】
請求項１又は２に記載の女性用テストステロン分泌増進用組成物の投与手段が、芳香として鼻から或いは食品添加物として口腔から嗅覚神経を介して脳に伝達されるように投与することを特徴とする芳香治療用組成物。
【請求項４】
請求項１又は２に記載の女性用テストステロン分泌増進用組成物の投与手段が、芳香として鼻から嗅覚神経を介して脳に伝達されるように投与することを特徴とする芳香治療用入浴剤。
【請求項５】
請求項１又は２に記載の女性用テストステロン分泌増進用組成物の投与手段が、芳香として食品添加物として口腔から嗅覚神経を介して脳に伝達されるように投与することを特徴とする芳香治療用食品。
【請求項６】
請求項１又は２に記載の女性用テストステロン分泌増進用組成物の投与手段が、芳香として鼻から嗅覚神経を介して脳に伝達されるように投与することを特徴とする芳香治療用具。
【手続補正書】
【提出日】令和3年6月24日(2021.6.24)
【手続補正１】
【補正対象書類名】特許請求の範囲
【補正対象項目名】全文
【補正方法】変更
【補正の内容】
【特許請求の範囲】
【請求項１】
支持する基材を、第１の軸を中心に回転させる基材支持機構と、
円筒状のターゲットが設置され、前記ターゲットを第２の軸を中心に回
転させる第１のカソード部と、
円筒状のターゲットが設置され、前記ターゲットを第３の軸を中心に回転させる第２のカソード部と、
をチャンバ内に備え、
前記第２の軸と前記第３の軸とは、前記第１の軸に対してねじれの位置に配置されており、
前記第１の軸が伸びる方向における、第１の軸と前記基材支持機構の基材支持面との距離Ｍａと第２の軸と前記基材支持機構の基材支持面との距離Ｍａとが、Ｍａ＜Ｍｂを満たし、
前記第１の軸が伸びる方向からみたときの、前記第１の軸と前記第２の軸との距離Ｌａと、前記第１の軸と前記第３の軸との距離Ｌｂとが、Ｌａ＞Ｌｂの関係を満たす、
ことを特徴とする成膜装置。
【請求項２】
前記第１の軸が伸びる方向からみたときの、前記基材支持機構に支持される基材の被成膜面のうち前記第１の軸から最も離れた点が描く円の半径をＲとすると、前記第２の回転軸と前記第１の軸との距離はＲ以上であり、前記第２の軸と前記第１の軸との距離は１／２Ｒ以上かつ前記第２の軸と前記第１の軸との間の距離以下である、
ことを特徴とする請求項１に記載の成膜装置。
【請求項３】
前記第１および第２のカソード部それぞれの、回転の軸方向におけるターゲット設置領域の幅が、前記２Ｒよりも大きい、
ことを特徴とする請求項２に記載の成膜装置。
【請求項４】
前記第１および第２のカソード部それぞれの、回転の軸方向におけるターゲット設置領域の幅が、前記２Ｒよりも小さい、
ことを特徴とする請求項２に記載の成膜装置。
【請求項５】
前記第１および第２のカソード部は、それぞれ回転の軸に沿って、前記第１の軸に対する傾斜角が調整可能なマグネットを備えている、
ことを特徴とする請求項１乃至４のいずれか一項に記載の成膜装置。
【請求項６】
前記１のカソード部が備えるマグネットの前記第１の軸に対する傾斜角と第２のカソード部が備えるマグネットの前記第１の軸に対する傾斜角が、それぞれ個別に調整可能であることを特徴とする請求項５に記載の成膜装置。
【請求項７】
制御装置をさらに備えており、
前記制御装置が、前記基材支持機構に設置される基材の配置および形状に応じて、前記１のカソード部が備えるマグネットの前記第１の軸に対する傾斜角と第２のカソード部が備えるマグネットの前記第１の軸に対する傾斜角を個別に制御する、
ことを特徴とする請求項６に記載の成膜装置。
【請求項８】
前記第１および第２のカソード部それぞれが備える前記マグネットは、それぞれのカソード部の回転の軸に沿って複数に分割して配置されており、分割されたそれぞれのマグネットの回転の径方向における位置を個別に制御する機構をさらに備える、
ことを特徴とする請求項５乃至７のいずれか１項に記載の成膜装置。
【請求項９】
前記第１および第２のカソード部それぞれにターゲットを設置された、請求項１乃至８のいずれか１項に記載の成膜装置を用いる成膜方法であって、
前記基材支持機構に設置する基材の形状および配置を取得する工程と、
取得した前記前記基材の形状および配置に基づいて、前記１のカソード部が備えるマグネットの前記第１の軸に対する傾斜角と第２のカソード部が備えるマグネットの前記第１の軸に対する傾斜角を設定する工程と、
前記第１および第２のカソード部に電圧を印加する工程と、
を含むことを特徴とする成膜方法。
【請求項１０】
前記第１および第２のカソード部に電圧を印加する工程において、交流電源を用い、前記第１のカソード部と前記第２のカソード部に交互に電力を供給する、
ことを特徴とする請求項９に記載の成膜方法。
【請求項１１】
前記基材が凹面または凸面を有し、その半開角が４０°以上である、
ことを特徴とする請求項９または１０に記載の成膜方法。
【請求項１２】
基材の上に膜を有するレンズの製造方法であって、
前記第１および第２のカソード部それぞれにターゲットを設置された、請求項１乃至８のいずれか１項に記載の成膜装置の前記基材支持機構に前記基材を設置する工程と、
前記基材の形状および配置を取得する工程と、
取得した前記基材の形状および配置に基づいて、前記１のカソード部が備えるマグネットの前記第１の軸に対する傾斜角と第２のカソード部が備えるマグネットの前記第１の軸に対する傾斜角を設定する工程と、
前記第１および第２のカソード部に電圧を印加する工程と、
を含むことを特徴とするレンズの製造方法。
【請求項１３】
前記第１および第２のカソード部に電圧を印加する工程において、交流電源を用い、前記第１のカソード部と前記第２のカソード部に交互に電力を供給する、
ことを特徴とする請求項１２に記載のレンズの製造方法。
【請求項１４】
前記基材が凹面または凸面を有し、その半開角が４０°以上である、
ことを特徴とする、
請求項１２または１３に記載のレンズの製造方法。
【請求項１５】
前記膜が反射防止膜である、
ことを特徴とする請求項１２乃至１４のいずれか一項に記載のレンズの製造方法。
【手続補正２】
【補正対象書類名】明細書
【補正対象項目名】０００６
【補正方法】変更
【補正の内容】
【０００６】
支持する基材を、第１の軸を中心に回転させる基材支持機構と、円筒状のターゲットが設置され、前記ターゲットを第２の軸を中心に回転させる第１のカソード部と、円筒状のターゲットが設置され、前記ターゲットを第３の軸を中心に回転させる第２のカソード部と、をチャンバ内に備え、前記第２の軸と前記第３の軸とは、前記第１の軸に対してねじれの位置に配置されており、前記第１の軸が伸びる方向における、第１の軸と前記基材支持機構の基材支持面との距離Ｍａと第２の軸と前記基材支持機構の基材支持面との距離Ｍａとが、Ｍａ＜Ｍｂを満たし、前記第１の軸が伸びる方向からみたときの、前記第１の軸と前記第２の軸との距離Ｌａと、前記第１の軸と前記第３の軸との距離Ｌｂとが、Ｌａ＞Ｌｂの関係を満たす、ことを特徴とする。
【手続補正書】
【提出日】令和2年11月26日(2020.11.26)
【手続補正１】
【補正対象書類名】特許請求の範囲
【補正対象項目名】全文
【補正方法】変更
【補正の内容】
【特許請求の範囲】
【請求項１】
エチレン−ビニルアルコ−ル共重合体（ＥＶＯＨ）ペレットであって、粒子の大きさの分布が、前記ペレットの９０〜１００重量％が５〜１０メッシュ（ＡＳＴＭ  Ｅ１１規格）に分布しており、前記ペレットの０〜１０重量％が１０メッシュ（ＡＳＴＭ  Ｅ１１規格）より小さく、エチレンの含有量が２４〜４８モル％であり、前記エチレン−ビニルアルコ−ル共重合体は少なくとも９５モル％のケン化度を有し、２０〜３０度の安息角を有することを特徴とするエチレン−ビニルアルコ−ル共重合体（ＥＶＯＨ）ペレット。
【請求項２】
少なくとも０．７４５８ｇ／ｍｌのかさ密度を有することを特徴とする請求項１に記載のＥＶＯＨペレット。
【請求項３】
請求項１又は２に記載のＥＶＯＨペレットから押出されて成るフィルムを少なくとも一層含むことを特徴とする押出成形ＥＶＯＨフィルム。
【請求項４】
ポリエチレン、ポリエチレン−グラフト−無水マレイン酸、ナイロン、ポリプロピレン及びバインダ−樹脂からなる群から選ばれる、前記ＥＶＯＨフィルムと共に押出成形される層を少なくとも一層含み、前記バインダ−樹脂は、異なる重合体を繋げることができると知られている樹脂であることを特徴とする請求項３に記載の押出成形ＥＶＯＨフィルム。
【請求項５】
実質上ブロ−ホ−ル（ｂｌｏｗ  ｈｏｌｅｓ）を有していないことを特徴とする請求項３又は４に記載の押出成形ＥＶＯＨフィルム。
【請求項６】
エチレン−ビニルアルコ−ル共重合体（ＥＶＯＨ）ペレットであって、粒子の大きさの分布が、前記ペレットの９０〜１００重量％が５〜１０メッシュ（ＡＳＴＭ  Ｅ１１規格）に分布しており、前記ペレットの０〜１０重量％が１０メッシュ（ＡＳＴＭ  Ｅ１１規格）より小さいもので構成されており、エチレンの含有量が２４〜４８モル％であり、前記エチレン−ビニルアルコ−ル共重合体は少なくとも９５モル％のケン化度を有し、前記ＥＶＯＨペレットは安息角が２０〜３０度であり、かさ密度が０．７〜０．８ｇ／ｍｌであることを特徴とするエチレン−ビニルアルコ−ル共重合体（ＥＶＯＨ）ペレット。
【請求項７】
押出成形フィルムであって、請求項６に記載のＥＶＯＨペレットから押出されて成るフィルムを含むことを特徴とする押出成形フィルム。
【手続補正書】
【提出日】令和3年5月21日(2021.5.21)
【手続補正１】
【補正対象書類名】特許請求の範囲
【補正対象項目名】全文
【補正方法】変更
【補正の内容】
【特許請求の範囲】
【請求項１】
大麦処理物と、杜仲、クロレラ、大豆及びサラシアからなる群より選ばれる少なくとも１種の植物素材の処理物と、を含有することを特徴とする血糖値上昇抑制剤。
【請求項２】
大麦処理物と、杜仲、クロレラ、大豆及びグァバからなる群より選ばれる少なくとも１種の植物素材の処理物と、を含有することを特徴とする整腸剤。
【請求項３】
錠剤、顆粒剤、粉末剤又はカプセル剤であることを特徴とする請求項１記載の血糖値上昇抑制剤。
【請求項４】
錠剤、顆粒剤、粉末剤又はカプセル剤であることを特徴とする請求項２記載の整腸剤。
【手続補正書】
【提出日】令和3年1月7日(2021.1.7)
【手続補正１】
【補正対象書類名】特許請求の範囲
【補正対象項目名】全文
【補正方法】変更
【補正の内容】
【特許請求の範囲】
【請求項１】
線維化を治療または予防する方法において使用するための医薬品の製造における、インターロイキン１１（IL-11）により誘導されるシグナル伝達のアンタゴニストの使用であって、前記IL-11のシグナル伝達のアンタゴニストが、抗IL-11中和抗体、抗IL-11受容体α鎖（IL-11Rα）抗体、デコイIL-11受容体、IL-11の発現をダウンレギュレートするsiRNA、およびIL-11Rαの発現をダウンレギュレートするsiRNAから選択される、IL-11により誘導されるシグナル伝達のアンタゴニストの使用。
【請求項２】
前記IL-11により誘導されるシグナル伝達のアンタゴニストが、IL-11受容体へのIL-11の結合を阻害または低減することができる、請求項１に記載の使用。
【請求項３】
前記IL-11により誘導されるシグナル伝達のアンタゴニストが抗IL-11中和抗体である、請求項１または２に記載の使用。
【請求項４】
前記IL-11により誘導されるシグナル伝達のアンタゴニストが抗IL-11Rα中和抗体である、請求項１または２に記載の使用。
【請求項５】
前記線維化が、呼吸器系臓器、循環器系臓器、消化器系臓器、泌尿系臓器、神経系臓器および／または筋骨格系臓器の線維化である、請求項１〜４のいずれか一項に記載の使用。
【請求項６】
前記線維化が、肺、心臓、血管、肝臓、小腸、大腸、膵臓、腎臓、眼、脳、皮膚、骨髄および／または筋組織の線維化である、請求項１〜５のいずれか一項に記載の使用。
【請求項７】
前記線維化が、呼吸器系臓器、肺、肝臓または眼の線維化である、請求項１〜６のいずれか一項に記載の使用。
【請求項８】
前記線維化を治療または予防する方法が、ヒト対象にIL-11により誘導されるシグナル伝達のアンタゴニストを投与することを含む、請求項１〜７のいずれか一項に記載の使用。
【請求項９】
前記線維化が、肺線維症、嚢胞性線維症、特発性肺線維症、進行性塊状線維症、閉塞性細気管支炎、ヘルマンスキー・パドラック症候群、石綿肺、珪肺症、慢性肺高血圧症、AIDS関連肺高血圧症、サルコイドーシス、間質性肺腫瘍、喘息、心臓線維症、心筋線維症、心房線維症、心室線維症、心房細動、心室細動、心筋梗塞、肥大型心筋症、拡張型心筋症、ブルガダ症候群、心筋炎、心内膜心筋線維症、血管線維症、高血圧性心疾患、不整脈源性右室心筋症、肝線維症、慢性肝疾患、肝硬変、非アルコール性脂肪性肝炎、原発性胆汁性肝硬変、原発性硬化性胆管炎、住血吸虫性肝疾患、腸線維症、クローン病、顕微鏡的大腸炎、膵臓線維症、腎線維症、慢性腎疾患、尿細管間質性線維症、糸球体線維症、腎炎症候群、アルポート症候群、HIV関連腎症、多嚢胞腎、ファブリー病、糖尿病性腎症、慢性糸球体腎炎、ループス腎炎、眼線維症、グレーブス眼症、網膜前線維症、網膜線維症、網膜下線維症、黄斑変性関連線維症、滲出型加齢黄斑変性、糖尿病性網膜症、緑内障、角膜線維症、白内障手術後の後嚢の術後線維症、線維柱帯切除術後の濾過胞術後線維症、結膜線維症、結膜下線維症、グリオーシス、アルツハイマー病、皮膚線維症、強皮症、腎性全身性線維症、皮膚ケロイド、デュピュイトラン拘縮、骨髄線維症、筋ジストロフィー、デュシェンヌ型筋ジストロフィー、ベッカー型筋ジストロフィー、関節炎、癒着性関節包炎、縦隔線維症、後腹膜線維症、ペイロニー病、全身性硬化症、進行性全身性硬化症、慢性移植片対宿主病、前腫瘍性線維症、腫瘍性線維症、および化学物質または外部からの刺激によって誘導された線維化からなる群から選択される疾患または病態の線維化である、請求項１〜８のいずれか一項に記載の使用。
【請求項１０】
前記線維化が、肺線維症、嚢胞性線維症、心房細動、心室細動、肥大型心筋症、拡張型心筋症、非アルコール性脂肪性肝炎、肝硬変、慢性腎疾患、強皮症、全身性硬化症、ケロイド、クローン病、白内障手術後の後嚢の術後線維症、線維柱帯切除術後の濾過胞術後線維症および網膜線維症からなる群から選択される疾患または病態の線維化である、請求項１〜９のいずれか一項に記載の使用。
【請求項１１】
前記線維化を治療または予防する方法が、IL-11またはIL-11Rαのタンパク質発現がアップレギュレートされている対象に前記IL-11により誘導されるシグナル伝達のアンタゴニストを投与することを含む、請求項１〜１０のいずれか一項に記載の使用。
【手続補正書】
【提出日】令和3年8月27日(2021.8.27)
【手続補正１】
【補正対象書類名】特許請求の範囲
【補正対象項目名】全文
【補正方法】変更
【補正の内容】
【特許請求の範囲】
【請求項１】
ポリ核酸配列をコードするベクターを含む組成物であって、ポリ核酸配列は、部分的にプロセシングされたｍＲＮＡ転写産物の標的配列の少なくとも１０の連続した塩基に相補的な配列を含み、部分的にプロセシングされたｍＲＮＡ転写産物はタンパク質をコードしかつ保持されたイントロン全体を含み、ポリ核酸配列は、部分的にプロセシングされたｍＲＮＡ転写産物からの保持されたイントロン全体のスプライシングアウトを誘導する、前記組成物。
【請求項２】
ポリ核酸配列が、部分的にプロセシングされたｍＲＮＡ転写産物の野生型標的配列の少なくとも１０の連続した塩基に相補的な配列を含む、請求項１に記載の組成物。
【請求項３】
野生型標的配列が、部分的にプロセシングされたｍＲＮＡ転写産物の保持されたイントロン全体の内部にある、請求項２に記載の組成物。
【請求項４】
野生型標的配列が、突然変異誘発性の異常なスプライス部位を含まない、請求項２に記載の組成物。
【請求項５】
標的配列がスプライス部位を含まない、請求項１に記載の組成物。
【請求項６】
ポリ核酸配列が、少なくとも４５ヌクレオチドを含む、請求項１に記載の組成物。
【請求項７】
ポリ核酸配列が、イントロン・スプライシング活性を調節するタンパク質に結合する、請求項１に記載の組成物。
【請求項８】
標的配列がヘアピン構造を形成している、請求項１に記載の組成物。
【請求項９】
ポリ核酸配列が、部分的にプロセシングされたｍＲＮＡ転写産物のスプライス部位から約５〜３０塩基離れた配列にハイブリダイズする追加の配列を含む、請求項８に記載の組成物。
【請求項１０】
ベクターがウイルスベクターである、請求項１に記載の組成物。
【請求項１１】
ウイルスベクターがアデノ随伴ウイルスベクターである、請求項１０に記載の組成物。
【請求項１２】
ウイルスベクターが、部分的にプロセシングされたｍＲＮＡ転写産物を含む細胞を標的指向する、請求項１０に記載の組成物。
【請求項１３】
ウイルスベクターが、特定の細胞を標的指向する、請求項１０に記載の組成物。
【請求項１４】
ポリ核酸配列が、標準及び非標準ＲＮＡ構造の配座転移又はイントロンに結合するトランス作用因子との相互作用の１以上に干渉する、請求項１に記載の組成物。
【請求項１５】
保持されたイントロン全体を含む部分的にプロセシングされたｍＲＮＡ転写産物が、疾患又は病態を誘発するか、疾患又は病態になりやすい性質を誘発する、請求項１に記載の組成物。
【請求項１６】
疾患又は病態が、Ｘ連鎖疾患である、請求項１５に記載の組成物。
【請求項１７】
ポリ核酸配列が、部分的にプロセシングされたｍＲＮＡ転写産物の標的配列の少なくとも１３の連続した塩基に相補的な配列を含む、請求項１に記載の組成物。
【請求項１８】
スプライシングがヒト細胞内で生じる、請求項１に記載の組成物。
【請求項１９】
請求項１〜１７のいずれか１項に記載の組成物、及び医薬的に許容される賦形剤を含む、医薬組成物。
【請求項２０】
遺伝子転写産物におけるイントロン保持の是正を含む、機能性タンパク質の産生低下又は不完全なスプライシングを特徴とする疾患又は病態を治療又は予防する方法に使用するための、請求項１９に記載の医薬組成物。
【請求項２１】
部分的にプロセシングされたｍＲＮＡ転写産物の完全にプロセシングされた転写産物にコードされる全長機能型タンパク質の発現を増加させる、請求項１に記載の組成物。
【手続補正書】
【提出日】令和3年2月10日(2021.2.10)
【手続補正１】
【補正対象書類名】特許請求の範囲
【補正対象項目名】全文
【補正方法】変更
【補正の内容】
【特許請求の範囲】
【請求項１】
対象においてアセトアミノフェン誘発毒性の発現を予測するための方法であって、（ｉ）対象から得られた生物学的試料中のアセトアミノフェン−タンパク質付加物の量を、（ａ）配列番号１の軽鎖ＣＤＲ１アミノ酸配列；（ｂ）配列番号２の軽鎖ＣＤＲ２アミノ酸配列；（ｃ）配列番号３の軽鎖ＣＤＲ３アミノ酸配列；（ｄ）配列番号４の重鎖ＣＤＲ１アミノ酸配列；（ｅ）配列番号５の重鎖ＣＤＲ２アミノ酸配列；および（ｆ）配列番号６の重鎖ＣＤＲ３アミノ酸配列を有する抗体を含む免疫アッセイにより測定することと、（ｉｉ）前記試料中のアセトアミノフェン−タンパク質付加物の量を基準値と比較し、ここで前記試料中のアセトアミノフェン−タンパク質付加物の量が前記基準値と比較してより大きいことにより、前記対象がアセトアミノフェン毒性を発現する増大したリスクを有することを示すことを含む、前記方法。
【請求項２】
請求項１に記載の方法であって、前記生物学的試料は、血液、血漿、血清、尿、唾液及び毛髪からなる群から選択される生物学的液体である、前記方法。
【請求項３】
請求項１に記載の方法であって、前記抗体は遊離のアセトアミノフェンに対してよりも２０００倍以上更に効果的に、アセトアミノフェンタンパク質付加物に対して特異的に結合する、前記方法。
【請求項４】
請求項１に記載の方法であって、前記抗体は遊離のアセトアミノフェンに対してよりも約８０００倍更に効果的に、アセトアミノフェンタンパク質付加物に対して特異的に結合する、前記方法。
【請求項５】
対象においてアセトアミノフェン誘発毒性の発現を予測するための方法であって、（ｉ）対象から得られた生物学的試料中のアセトアミノフェン−タンパク質付加物の量を、（ａ）配列番号７の軽鎖ＣＤＲ１アミノ酸配列；（ｂ）配列番号８の軽鎖ＣＤＲ２アミノ酸配列；（ｃ）配列番号９の軽鎖ＣＤＲ３アミノ酸配列；（ｄ）配列番号１０の重鎖ＣＤＲ１アミノ酸配列；（ｅ）配列番号１１の重鎖ＣＤＲ２アミノ酸配列；および（ｆ）配列番号１２の重鎖ＣＤＲ３アミノ酸配列を有する抗体を含む免疫アッセイにより測定することと、（ｉｉ）前記試料中のアセトアミノフェン−タンパク質付加物の量を基準値と比較し、ここで前記試料中のアセトアミノフェン−タンパク質付加物の量が前記基準値と比較してより大きいことにより、前記対象がアセトアミノフェン毒性を発現する増大したリスクを有することを示すことを含む、前記方法。
【請求項６】
請求項５に記載の方法であって、前記生物学的試料は、血液、血漿、血清、尿、唾液及び毛髪からなる群から選択される生物学的液体である、前記方法。
【請求項７】
請求項５に記載の方法であって、前記抗体は遊離のアセトアミノフェンに対してよりも２０００倍以上更に効果的に、アセトアミノフェンタンパク質付加物に対して特異的に結合する、前記方法。
【請求項８】
請求項５に記載の方法であって、前記抗体は遊離のアセトアミノフェンに対してよりも約８０００倍更に効果的に、アセトアミノフェンタンパク質付加物に対して特異的に結合する、前記方法。
【手続補正書】
【提出日】令和3年3月15日(2021.3.15)
【手続補正１】
【補正対象書類名】特許請求の範囲
【補正対象項目名】全文
【補正方法】変更
【補正の内容】
【特許請求の範囲】
【請求項１】
パーキンソン病の治療を必要とする対象においてパーキンソン病を治療するための医薬の製造における医薬組成物の使用であって、
該医薬組成物は、構造において式（Ｉ）に相当する第１の化合物：
【化１】
2020189864.tif 000001
または該化合物の医薬として許容される塩［式中、Ｒ１およびＲ２はそれぞれ独立に、水素、−Ｐ（Ｏ）（ＯＨ）２、および−Ｒ５−Ｏ−Ｐ（Ｏ）（ＯＨ）２からなる群から選択され；Ｒ５はＣ１−Ｃ４−アルキルであり；Ｒ６は水素またはＣ１−Ｃ４−アルキルであり；ただし、Ｒ１およびＲ２のうちの少なくとも一つが−Ｐ（Ｏ）（ＯＨ）２または−Ｒ５−Ｏ−Ｐ（Ｏ）（ＯＨ）２である。］；および
構造において式（ＩＩ）に相当する第２の化合物：
【化２】
2020189864.tif 000002
または該化合物の医薬として許容される塩［式中、Ｒ３およびＲ４はそれぞれ独立に、水素、−Ｐ（Ｏ）（ＯＨ）２、および−Ｒ５−Ｏ−Ｐ（Ｏ）（ＯＨ）２からなる群から選択され；Ｒ５はＣ１−Ｃ４−アルキルであり；Ｒ６は水素またはＣ１−Ｃ４−アルキルであり；ただし、Ｒ３およびＲ４のうちの少なくとも一つが−Ｐ（Ｏ）（ＯＨ）２または−Ｒ５−Ｏ−Ｐ（Ｏ）（ＯＨ）２である。］
を含む医薬組成物である、使用。
【請求項２】
第１の化合物が、
【化３】
2020189864.tif 000003

である、請求項１に記載の使用。
【請求項３】
第１の化合物が、構造において下記式（Ｉ−ｂ）に相当する化合物又は該化合物の医薬として許容される塩である請求項１または２に記載の使用：
【化４】
2020189864.tif 000004

。
【請求項４】
第２の化合物が、
【化５】
2020189864.tif 000005

である、請求項１から３のいずれか一項に記載の使用。
【請求項５】
第２の化合物が、構造において下記式（ＩＩ−ｂ）に相当する化合物又は該化合物の医薬として許容される塩である請求項１から４のいずれか一項に記載の使用：
【化６】
2020189864.tif 000006

。
【請求項６】
医薬組成物が、さらに、医薬として許容される担体を含む、請求項１から５のいずれか一項に記載の使用。
【請求項７】
第１の化合物、又は該化合物の医薬として許容される塩が、ほぼ中性ｐＨの水溶液中で少なくとも約２００ｍｇ／ｍＬの溶解度を有し、前記第２の化合物もしくはそれの医薬として許容される塩が、ほぼ中性のｐＨの水溶液中で少なくとも約４００ｍｇ／ｍＬの溶解度を有する、請求項１から６のいずれか一項に記載の使用。
【請求項８】
医薬組成物が、さらに水を含み、注入に適する、請求項１から７のいずれか一項に記載の使用。
【請求項９】
医薬組成物が、皮下投与に適した水系組成物である、請求項１から８のいずれか一項に記載の使用。
【請求項１０】
パーキンソン病の治療を必要とする対象においてパーキンソン病を治療するための医薬の製造における医薬組成物の使用であって、
該医薬組成物は、構造において下記式（Ｉ−ｂ）に相当する第１の化合物：
【化７】
2020189864.tif 000007

または該化合物の医薬として許容される塩；および
構造において下記式（ＩＩ−ｂ）に相当する第２の化合物：
【化８】
2020189864.tif 000008

または該化合物の医薬として許容される塩を含み、
該医薬組成物は、皮下投与に適した水系組成物である、使用。
【請求項１１】
治療が、第１の化合物及び第２の化合物の、少なくとも約１２時間の期間をかけての実質的連続投与を含む、請求項１から１０のいずれか一項に記載の使用。
【請求項１２】
治療が、別の抗パーキンソン病薬の対象への投与をさらに含む、請求項１から１１のいずれか１項に記載の使用。
【手続補正書】
【提出日】令和3年6月25日(2021.6.25)
【手続補正１】
【補正対象書類名】特許請求の範囲
【補正対象項目名】全文
【補正方法】変更
【補正の内容】
【特許請求の範囲】
【請求項１】
グアニン強塩基塩結晶を水に溶解して得たグアニン強塩基塩水溶液をｐＨ１３〜７に調整した水溶液と混合する工程を有することを特徴とする、グアニン結晶の製造方法
【請求項２】
グアニン強塩基塩水溶液のｐＨが１４以上であることを特徴とする、請求項１に記載のグアニン結晶の製造方法。
【請求項３】
前記グアニン強塩基塩水溶液が、以下の１）、２）及び３）の工程によって得られることを特徴とする、請求項１又は２に記載のグアニン結晶の製造方法。
１）グアニン結晶粉末をｐＨ１４以上の強塩基溶液に溶解させてグアニン強塩基塩を生成する工程、
２）前記工程において得たグアニン強塩基塩を含有する溶液に、前記強塩基との共通陽イオンを添加することにより、グアニン強塩基塩結晶を析出、沈殿させて単離する工程、及び
３）前記工程で得たグアニン強塩基塩結晶を水に溶解してｐＨを１４以上にする工程。
【請求項４】
グアニン強塩基塩結晶を水に溶解して得たグアニン強塩基塩水溶液をｐＨ１３〜７に調整した水溶液と混合する工程において、混合溶液のｐＨを所定の値に調整することを特徴とする、請求項１〜３のいずれか一項に記載のグアニン結晶の製造方法。
【請求項５】
前記混合溶液のｐＨを一定値に維持することを特徴とする、請求項４に記載のグアニン結晶の製造方法。
【請求項６】
前記混合溶液のｐＨを酸もしくはアルカリ又はそれらの塩類で調整することを特徴とする、請求項４又は５に記載のグアニン結晶の製造方法。
【請求項７】
前記グアニン強塩基塩水溶液をｐＨ１３〜７に調整した水溶液に滴下するか又は分割してｐH１３〜７に調整した水溶液と混合することを特徴とする、請求項１〜６のいずれか一項に記載のグアニン結晶の製造方法。
【請求項８】
前記ｐＨ１３〜７に調整した水溶液が、緩衝剤を含有することを特徴とする、請求項１〜７のいずれか一項に記載のグアニン結晶の製造方法。
【請求項９】
前記グアニン強塩基塩水溶液及び／又はｐＨ１３〜７に調整した水溶液に、無機塩類、有機塩類、蛋白質、糖類、アミノ酸、核酸塩基類、界面活性剤及び分散剤から選ばれる１種又は２種以上の水溶性物質を添加することを特徴とする、請求項１〜８のいずれか一項に記載のグアニン結晶の製造方法。
【請求項１０】
前記グアニン強塩基塩水溶液をｐＨ１３〜７に調整した水溶液と混合する工程において、加温することを特徴とする、請求項１〜９のいずれか一項に記載のグアニン結晶の製造方法。
【請求項１１】
前記強塩基が、ナトリウムもしくはカリウムを含む化合物又は水酸化テトラアルキルアンモニウムであることを特徴とする、請求項１〜１０のいずれか一項に記載のグアニン結晶の製造方法。
【請求項１２】
１）グアニン結晶粉末をｐＨ１４以上の強塩基溶液に溶解させてグアニン強塩基塩を生成する工程、
２）前記工程において得たグアニン強塩基塩を含有する溶液に、前記強塩基との共通陽イオンを添加することにより、グアニン強塩基塩結晶を析出、沈殿させて単離する工程、及び
３）前記工程で得たグアニン強塩基塩結晶を水に溶解した水溶液とｐＨ１３〜７に調整した水溶液を混合する工程を有することを特徴とする、グアニン結晶の製造方法。
【請求項１３】
前記強塩基との共通陽イオンとして添加する化合物が、水酸化ナトリウム、水酸化カリウムもしくはこれらのいずれかの化合物の陽イオンを有する強酸塩又は水酸化テトラアルキルアンモニウムもしくは強酸のアンモニウム塩を含むことを特徴とする、請求項３〜１２に記載のグアニン結晶の製造方法。
【請求項１４】
請求項１〜１３のいずれか一項に記載の方法で製造されたグアニン結晶を含有する化粧品。
【請求項１５】
請求項１〜１３のいずれか一項に記載の方法で製造されたグアニン結晶を用いたバイオリフレクター。
【手続補正２】
【補正対象書類名】明細書
【補正対象項目名】０００８
【補正方法】変更
【補正の内容】
【０００８】
グアニンの水溶性強塩基塩を経由し、ｐＨを制御して結晶を析出させることにより、サブｍｍ〜サブμｍオーダーの結晶を作製することができる。また、ｐＨ、温度の調整、各種添加剤により、結晶の形態、特性を制御することができるので、所望の結晶形の人工グアニン結晶を得ることが可能となった。
また、グアニン結晶化の際の溶液の濃度を高濃度にできるため製造効率が良く、低ｐＨ（１３〜７）でグアニン結晶を製造できることなどの優位点がある。
【手続補正３】
【補正対象書類名】明細書
【補正対象項目名】００１５
【補正方法】変更
【補正の内容】
【００１５】
添加剤としては、水溶性の材料であれば、特に制限がなく、無機塩類、有機塩類、水溶性蛋白質、糖類、アミノ酸、核酸塩基類、界面活性剤、分散剤等に属する水溶性の材料が挙げられる。また、魚の皮等のように、蛋白質、糖類、その他の水溶性有機物が皮等に付着している固体材料も使用可能である。
無機塩類、有機塩類、水溶性蛋白質、糖類、アミノ酸、核酸塩基類等は、グアニンの結晶形態を制御することができ、界面活性剤、分散剤等は生成するグアニン結晶の凝集を防ぐことができる。
【手続補正４】
【補正対象書類名】明細書
【補正対象項目名】００１７
【補正方法】変更
【補正の内容】
【００１７】
界面活性剤としては、アニオン、カチオン、両性、及びノニオンのいずれも使用することができる。
アニオン界面活性剤としては、モノアルキル硫酸塩、アルキルポリオキシエチレン硫酸塩、アルキルベンゼンスルホン酸塩、モノアルキルリン酸塩等が挙げられる。
カチオン界面活性剤としては、アルキルトリメチルアンモニウム塩、ジアルキルジメチルアンモニウム塩、アルキルベンジルジメチルアンモニウム塩等が挙げられる。 
両性界面活性剤としては、アルキルジメチルアミンオキシド、アルキルカルボキシベタイン等が挙げられる。 
ノニオン界面活性剤としては、ポリオキシエチレンアルキルエーテル、脂肪酸ソルビタンエステル、アルキルポリグルコシド、脂肪酸ジエタノールアミド、アルキルモノグリセリルエーテル等が挙げられる。 
分散剤としては、ポリアクリル酸とその塩、ポリメタクリル酸とその塩、ポリアクリル酸共重合体とその塩、ポリスチレンスルホン酸とその塩等のカルボン酸系分散剤；アルキルイミダゾリン系化合物などの複素環系分散剤；スルホン酸、ドデシルベンゼンスルホン酸、リグニンスルホン酸、これらの塩などのスルホン酸系分散剤；オルトケイ酸、メタケイ酸、フミン酸、タンニン酸、ドデシル硫酸等が挙げられる。
これらの添加剤は、グアニン強塩基塩を含有する水溶液中に、界面活性剤、分散剤等の場合は、０．０１〜１０重量％となるように添加する。無機塩類、有機塩類、水溶性蛋白質、糖類、アミノ酸、核酸塩基類等の場合は０．０１％〜飽和濃度までの範囲で添加する。
【手続補正書】
【提出日】令和3年3月30日(2021.3.30)
【手続補正１】
【補正対象書類名】特許請求の範囲
【補正対象項目名】全文
【補正方法】変更
【補正の内容】
【特許請求の範囲】
【請求項１】
扉枠と、
該扉枠の後に位置する本体枠と、
該本体枠の上方に設けられた遊技球貯留用の球タンクと、
該球タンクの遊技球を下流に導くために前記本体枠の上方に配設されたタンクレールと、を有する遊技機において、
前記本体枠は、遊技機正面側から遊技盤が装着可能とされ、前記本体枠を構成する所定の払出ベース部には前記球タンクおよび前記タンクレールが設けられ、
前記払出ベース部と前記タンクレールとの少なくとも前後方向の対向面には、上端が外部に開放された上下方向の隙間を設けてなり、
さらに、前記球タンクから溢れた遊技球を、前記隙間に流下させずに前記球タンクまたは前記タンクレールに戻すように誘導する誘導部が設けられており、
前記払出ベース部は、透明な樹脂で形成されている
ことを特徴とする遊技機。
【手続補正２】
【補正対象書類名】明細書
【補正対象項目名】０００５
【補正方法】変更
【補正の内容】
【０００５】
しかしながら、従来のタンクレールは、遊技機の不具合回避に際して十分な構成であるとは言えず、改善の余地があった。
【手続補正３】
【補正対象書類名】明細書
【補正対象項目名】０００６
【補正方法】変更
【補正の内容】
【０００６】
本発明は上記に鑑みなされたもので、その目的は、従来とは異なる構成のタンクレール
を備えた遊技機を提供することにある。
【手続補正４】
【補正対象書類名】明細書
【補正対象項目名】０００７
【補正方法】変更
【補正の内容】
【０００７】
上記の目的を達成するため本発明は、
扉枠と、
該扉枠の後に位置する本体枠と、
該本体枠の上方に設けられた遊技球貯留用の球タンクと、
該球タンクの遊技球を下流に導くために前記本体枠の上方に配設されたタンクレールと、を有する遊技機において、
前記本体枠は、遊技機正面側から遊技盤が装着可能とされ、前記本体枠を構成する所定の払出ベース部には前記球タンクおよび前記タンクレールが設けられ、
前記払出ベース部と前記タンクレールとの少なくとも前後方向の対向面には、上端が外部に開放された上下方向の隙間を設けてなり、
さらに、前記球タンクから溢れた遊技球を、前記隙間に流下させずに前記球タンクまたは前記タンクレールに戻すように誘導する誘導部が設けられており、
前記払出ベース部は、透明な樹脂で形成されている
ことを特徴とする。
【手続補正５】
【補正対象書類名】明細書
【補正対象項目名】０００８
【補正方法】変更
【補正の内容】
【０００８】
本発明によれば、従来とは異なる構成のタンクレールを備えた遊技機を提供することができる。